(57)【要約】【課題】歩行または走行においても確実に後方に位置する運転者に対して常に光反射させて反射効果を半減させることなく、安価でしかも踵安定性及びクッション性を兼ね備えた靴を提供する靴を提供する。【解決手段】甲被２の底面に上下２層からなる靴底３を備えた靴１において、該下層靴底４は踵部を内側及び外側に分離配置させた底材４１，４２からなり、上層靴底５は前記下層靴底４より素材の密度を小にした底材からなる。前記上層靴底５は踵背面部６１を基点として踵側面部６２、６２及び前記下層靴底４を内側と外側に分離配置させた底材４１，４２間を通し踵接地面側中央部６３にかけて窪みを設けて略Ｔ字形状の長溝６を形成し、その長溝６に同形状の光再帰性テープ７を収納するように貼着した。【選択図】図１
0003119808.tif 000002
【実用新案登録請求の範囲】
【請求項１】
甲被の底面に上下２層からなる靴底を備えた靴において、該下層靴底は踵部において内側と外側とに分離配置させた底材からなり、上層靴底は前記下層靴底の素材より密度を小にした底材からなると共に踵背面部を基点として踵側面部及び前記下層靴底の内側と外側に分離配置させた底材間を通し踵接地面側中央部にかけて窪みを設けて略Ｔ字形状の長溝を形成し、その略Ｔ字形状の長溝に光再帰性テープを収納し貼着したことを特徴とする靴。
【考案の詳細な説明】
【技術分野】
【０００１】
本考案は、光反射機能を備えた靴に関するものである。さらには、光再帰性テープを用いると共に歩行又は走行時の踵安定性及びクッション性を兼ね備えた靴に関するものである。
【背景技術】
【０００２】
従来、夜間などにおいて車両の運転者が歩行者の存在に気づかずに回避行動が遅れがちになり、人身事故を起こし易くなっていた。そこで、人身事故を未然に防止する対策として、靴に蛍光反射層や光反射材を用いることが一般的に行われている。例えば、靴底踵部の全周側面及び靴底土踏まず部に蛍光反射層を形成した靴が実開昭６０−１４０４０９に開示されている。また、実開平６−１０６には、甲被の踵部背面には、適宜形状の夜光反射材が貼着されており、靴底の踵部接地面には適宜形状の凹部が形成され、且つ前記凹部には夜光反射材が収納され、透明な合成樹脂シートで覆った靴が開示されている。
【０００３】
しかしながら、前者の実開昭６０−１４０４０９の靴は、蛍光反射層が靴底外面に露出して設けているため、歩行中に障害物と衝突し蛍光反射層が剥がれたりして光反射効果が半減しがちであった。
【０００４】
また、後者の実開平６−１０６の靴は、甲被の踵部背面と靴底底面とに夜光反射材を設けてなるものであるが、甲被の踵部背面に貼着された反射材は、踵を高く蹴り上げる走行においては、蹴り上げた際に夜光反射材の光反射方向がほぼ上向きとなるため、反射光が後方の運転者には見えにくくなり、これも前者と同様に光反射効果が半減するという問題点があった。また、甲被の踵部背面に貼着された反射材は、ズボンの裾で隠れたりして反射光が後方から全く確認されない問題点も発生する恐れがあった。
【０００５】
また片方の靴底底面の夜光反射材は、踵を高く蹴り上げない歩行においては、夜光反射材と地面となす角度が小となるため、光反射方向がほぼ下向きとなり、前記と同様に後方の運転者に対して反射光を反射させることが難しく常時気づかせることは困難であった。
【０００６】
そして、靴底踵部の夜光反射材は、透明な合成樹脂シートで覆った構造であるために取り付け作業に複雑な加工を要し靴の価格を上昇させる問題点もあった。また、夜光反射材は甲被踵部に取り付ける部品と靴底踵部に取り付ける部品との２部品が必要となるため、製造における在庫管理や靴への取り付け作業が煩雑となる欠点もあった。
【０００７】
さらには、前者及び後者の何れの靴もそれぞれの靴底が単層で形成されてあるため、夜光反射機能を備えた靴においては、踵接地時において踵安定性の向上及び踵部の衝撃力を充分に緩和させることが困難であった。
【特許文献１】実開昭６０−１４０４０９号公報
【特許文献２】実開平６−１０６号公報
【考案の開示】
【考案が解決しようとする課題】
【０００８】
解決しようとする問題点は、歩行または走行においても確実に後方に位置する運転者に対して人の存在を認知させるとともに、安価でしかも踵安定性及びクッション性を兼ね備えた靴を提供することである。
【課題を解決するための手段】
【０００９】
本考案は、甲被の底面に上下２層からなる靴底を備えた靴において、該下層靴底は踵部を内側及び外側に分離配置させた底材からなり、上層靴底は前記下層靴底の素材より小さい密度の底材からなると共に、その上部靴底の踵背面部を基点として踵側面部及び前記下層靴底の分離配置した底材間を通し踵接地面側中央部にかけて窪みを設けて略Ｔ字形状の長溝を形成し、その略Ｔ字形状の長溝に光再帰性テープを収納するように貼着したことを要旨とする。
【考案の効果】
【００１０】
本考案の靴は、甲被の底面に上下２層からなる靴底を備えた靴において、該上層靴底は下層靴底の素材より小密度の底材からなると共に、踵背面部を基点として踵内外側面部及び踵接地面側中央部にかけて窪みを設けて略Ｔ字形状の長溝を形成し、その長溝に光再帰性テープを収納するように設けたので、踵を高く蹴り上げる走行または低く蹴り上げる歩行の動作において、光再帰性テープの反射光を後方の運転者に対して対向させることができ、光反射効果を低減させることがないので、常に人の存在を認知させることができる。また光再帰性テープは上層靴底の側面側及び接地面側に設けているのでズボンの裾で隠れることもない。
【００１１】
そして、本考案の靴は下層靴底を内側と外側に分離した底材によって踵接地の際の衝撃力が支持されるとともに、下層靴底より密度を小にした上層靴底は弾性変形すると共に踵接地面側中央部の窪みによって下方に撓み圧縮されるので、踵の安定性が図られると共に衝撃力を吸収し緩和されるのでクッション性が良好という効果を有する。
【００１２】
また、靴底に装着した光再帰性テープは、上層靴底に形成された長溝に収納された構造であるので障害物との衝突による剥がれが防止されるため、光反射効果を低減することなく長期間保持することができる。また本考案の靴は、上層靴底に１部品からなる再光帰性テープを貼着した簡単な構造であるので、その在庫管理及び取り付け作業が容易となり安価に製造できるという効果を有する。
【考案を実施するための最良の形態】
【００１３】
本考案の靴は、上層靴底において、踵背面部を基点として踵側面部と踵接地面中央部にかけて窪みを設けて略Ｔ字形状からなる長溝を形成し、その略Ｔ字形状の長溝に光再帰性テープを貼着することで、光反射効果を半減させないという目的を、簡単な構造でしかも安価で踵安定性及びクッション性を高めることを実現した。
【実施例１】
【００１４】
図１は、本考案の靴を靴底底面の踵後方側から見た斜視図であって、図２は図１のＡ-Ａ断面図である。１は靴、２は甲被、３は靴底、4は下層靴底、５は上層靴底、６は略Ｔ字形状の長溝、7は光再帰性テープである。
【００１５】
靴１は甲被２の底面に下層靴底４と上層靴底５とを積層した靴底３を備えている。甲被２は履き口前方に切欠き部を設け、該切欠き部を靴紐で編み上げて緊定可能にした構造で、甲被本体は綿布、合成繊維、合成皮革材料を使用して作られる。下層靴底4は分離した底材４１、４２を踵部の内側及び外側に配置したものからなる。下層靴底４は天然ゴム、合成ゴム又はこれらの材料を適宜配合した混合物からなる。上層靴底５は前記下層靴底４より密度の小さい素材からなり、エチレン酢酸ビニル、ウレタンなどからなる可塑性樹脂などを発泡させた材料からなる。具体例として靴底３は、下層靴底４の密度を０．９〜１．３ｇ／ｃｍ３とし、上層靴底５の密度を該下層靴底より密度の小さい０．４〜０．８ｇ／ｃｍ３とするものが使用できる。
【００１６】
また上層靴底５には、踵背面部６１を基点として踵側面部６２、６２及び下層靴底4の分離した底材４１、４２間を通し踵接地面側中央部６３にかけて窪みを設けた略Ｔ字形状の長溝６を形成する。また、略Ｔ字形状の長溝６の窪みの深さは光再帰性テープ７の厚み寸法より大にして形成する。そして、その略Ｔ字形状の長溝６に同形状の光再帰性テープ７を収納するように接着剤、熱圧着などで接着して本考案の靴が完成される。
【００１７】
光再帰性テープ７は、テープ表面に当たった光が光源の方向に反射される反射材で、ガラスビーズを配列したタイプや微細なプリズムが形成されたプリズムタイプが使用される。ガラスビーズを配列したタイプの反射材の構造としては、露出レンズ型、封入レンズ型、カプセルレンズ型などがあり何れのタイプでも良い。また微細なプリズムタイプの光再帰性テープ７については、その表面を透明のフイルムで被覆し、下部にはシーリングフイルム、接着層、ライナーを付加して構成してもよい。本考案の実施例１の光再帰性テープ７は、プリズム形状にエンボス加工したプリズムタイプのＰＶＣテープの下部に接着層、ライナーを付加した構造のものを使用した。
【００１８】
本考案の実施例１の靴は、上層靴底５の踵背面部６１を基点として踵側面部６２、６２及び踵接地面側中央部６３にかけて窪みを設けた略Ｔ字形状の長溝６に同形状の光再帰性テープ７を貼着したので、走行又は歩行時の際、踵を高く蹴り上げても蹴り上げなくても後方にいる車両の運転者には常に光再帰性テープ７が確認でき光反射効果を半減することがなく人の存在を認知させるという効果を有していた。しかも、光再帰性テープ７は上層靴底５に形成された略Ｔ字形状の長溝６に収納された構造であるので、障害物との衝突による剥がれが防止された。
【００１９】
さらに、本考案の靴は踵部において下層靴底４と上層靴底５とを積層した靴底３であり、該下層靴底４を内側と外側に分離して底材４１，４２を配し、上層靴底５は下層靴底４より密度を小にした底材とし、かつ上層靴底５の踵接地面側中央部６２に窪みを設けた構造であるので、踵接地の際の衝撃力が上層靴底の弾性変形及び窪みによって圧縮吸収して緩和されクッション性が良好となるとともに下層靴底の底材４１，４２によって支持されるので踵安定性が図られるという効果を有していた。
【図面の簡単な説明】
【００２０】
【図１】本考案の靴を靴底底面の踵後方から見た斜視図である。
【図２】図１のＡ-Ａ断面図である。
【符号の説明】
【００２１】
１    靴
２    甲被
３    靴底
４    下層靴底
５    上層靴底
６    略Ｔ字形状の長溝
7    光再帰性テープ
【図１】
0003119808.tif 000003
【図２】
0003119808.tif 000004